(57)【要約】【課題】通常モードとブレーキモードとの切り替えに伴う筒内ガスの吸気側への逆流を防止する。【解決手段】ブレーキモードでは排気行程における排気弁４の通常の開作動を行わせないようにして筒内を封止しながら圧縮上死点付近で排気弁４を強制的に開作動させて圧縮圧力を開放するようにした圧縮圧開放型エンジンブレーキに関し、筒内に取り込まれた吸入空気１９を最初に圧縮する一度目の圧縮行程で圧縮圧力を開放した後に、排気行程に相当する二度目の圧縮行程で圧縮圧力を開放するにあたり、その排気弁４のバルブリフトに本来の圧縮圧力の開放に必要なリフト量以上にフェールセーフリフトを設定し、排気弁４の開作動を担うロッカーアーム８が排気カム７及びブレーキ専用カム１１の何れにも着座しない状態でも前記フェールセーフリフトにより必ず排気弁４の開作動が生じるように構成する。【選択図】図１
2019056321.tif 000002
【特許請求の範囲】
【請求項１】
排気弁の開作動を担うロッカーアームを排気カム及びブレーキ専用カムの何れか一方に着座するよう切り替えて通常モードとブレーキモードとの切り替えを行い、通常モードでは排気カムにより排気行程における排気弁の通常の開作動を行わせる一方、ブレーキモードではブレーキ専用カムにより排気行程における排気弁の通常の開作動を行わせないようにして筒内を封止しながら圧縮上死点付近で排気弁を強制的に開作動させて圧縮圧力を開放する圧縮圧開放型エンジンブレーキであって、筒内に取り込まれた吸入空気を最初に圧縮する一度目の圧縮行程で圧縮圧力を開放した後に、排気行程に相当する二度目の圧縮行程で圧縮圧力を開放するにあたり、その排気弁のバルブリフトに本来の圧縮圧力の開放に必要なリフト量よりも多くフェールセーフリフトを設定し、前記排気弁の開作動を担うロッカーアームが排気カム及びブレーキ専用カムの何れにも着座しない状態となっていても前記フェールセーフリフトにより必ず排気弁の開作動が生じるように構成したことを特徴とする圧縮圧開放型エンジンブレーキ。
【請求項２】
フェールセーフリフトを設定した二度目の圧縮圧力の開放を行う排気弁の開作動を圧縮上死点より前にピークをずらして排気弁とピストンとの干渉を回避し得るように構成したことを特徴とする請求項１に記載の圧縮圧開放型エンジンブレーキ。
【請求項３】
フェールセーフリフトを設定した二度目の圧縮圧力の開放を行う排気弁の開作動が排気行程における通常の開作動の範囲内に包含されるように構成したことを特徴とする請求項２に記載の圧縮圧開放型エンジンブレーキ。
【発明の詳細な説明】
【技術分野】
【０００１】
本発明は、エンジンの圧縮上死点付近で排気弁を強制的に開作動して圧縮圧力を開放することで制動力を得るようにした圧縮圧開放型エンジンブレーキに関するものである。
【背景技術】
【０００２】
従来、トラックやバス等の大型車両では、もともと車両重量が大きい上に積載荷重が加わるため、減速時に慣性力が大きく作用することになり、常用ブレーキ装置にかかる負担が大きくなる。
【０００３】
そこで、下り坂等でブレーキをかける頻度が高い時には、一般的にエンジンブレーキを併用することが行われているが、積載荷重が大きい場合や坂道が急勾配であるような場合には、十分なエンジンブレーキの効果が得られないことがある。
【０００４】
このため、エンジンの圧縮上死点付近で排気弁を強制的に開作動して圧縮圧力を開放してから閉めることにより、次の膨張行程におけるピストンを押し下げる力を喪失させて圧縮行程で得た制動力を有効に作用させると共に、膨張行程にあっても抵抗がかかるようにした圧縮圧開放型エンジンブレーキを補助的に装備することが行われている。
【０００５】
斯かる圧縮圧開放型エンジンブレーキにあっては、前述の如く圧縮上死点付近で排気弁を開作動させて圧縮圧力を開放することに加え、排気行程における排気弁の通常の開作動を行わせないようにして筒内を封止し、排気行程でも抵抗がかかるようにして更なる制動力の向上を図ることが提案されている（特許文献１参照）。
【０００６】
即ち、通常モードでは、吸気行程に先立つピストンの上昇行程で排気カムによりロッカーアームの基端部が押し上げられ、これにより傾動するロッカーアームの先端部により排気弁が押し下げられて開作動することで排気が実行されるが、ブレーキモードでは、前記排気カムの作動を前記ロッカーアームに対し空振り（ロストモーション）させることにより、上述の如き排気行程における排気弁の通常の開作動が実行されないようにすることができる。
【先行技術文献】
【特許文献】
【０００７】
【特許文献１】特開平９−１３３０３１号公報
【発明の概要】
【発明が解決しようとする課題】
【０００８】
しかしながら、この種のロストモーションシステムを採用した圧縮圧開放型エンジンブレーキにあっては、通常モードからブレーキモードへの切り替えや、ブレーキモードから通常モードへの切り替えの際に、排気弁が排気カム及びブレーキ専用カムの何れか一方との連動を解除して他方との連動に切り替わる段階で何れにも連動しない状態が一時的に生じ、圧縮行程にて圧縮された筒内ガスが排気されないまま次の吸気行程が開始されてしまうため、この吸気行程にて吸気弁が開いた途端に筒内ガスが勢い良く吸気側へ逆流する「吹き返し」と呼ばれる現象が生じ、その吹き返しがターボチャージャのコンプレッサまで到達して軸受等にダメージを与えてしまう虞れがあった。
【０００９】
本発明は上述の実情に鑑みてなしたもので、通常モードとブレーキモードとの切り替えに伴う筒内ガスの吸気側への逆流を防止し得る圧縮圧開放型エンジンブレーキを提供することを目的とする。
【課題を解決するための手段】
【００１０】
本発明は、排気弁の開作動を担うロッカーアームを排気カム及びブレーキ専用カムの何れか一方に着座するよう切り替えて通常モードとブレーキモードとの切り替えを行い、通常モードでは排気カムにより排気行程における排気弁の通常の開作動を行わせる一方、ブレーキモードではブレーキ専用カムにより排気行程における排気弁の通常の開作動を行わせないようにして筒内を封止しながら圧縮上死点付近で排気弁を強制的に開作動させて圧縮圧力を開放する圧縮圧開放型エンジンブレーキであって、筒内に取り込まれた吸入空気を最初に圧縮する一度目の圧縮行程で圧縮圧力を開放した後に、排気行程に相当する二度目の圧縮行程で圧縮圧力を開放するにあたり、その排気弁のバルブリフトに本来の圧縮圧力の開放に必要なリフト量よりも多くフェールセーフリフトを設定し、前記排気弁の開作動を担うロッカーアームが排気カム及びブレーキ専用カムの何れにも着座しない状態となっていても前記フェールセーフリフトにより必ず排気弁の開作動が生じるように構成したことを特徴とするものである。
【００１１】
而して、このようにすれば、通常モードとブレーキモードとの切り替え時に、排気弁の開作動を担うロッカーアームが排気カム及びブレーキ専用カムの何れにも着座しない状態が一時的に生じても、排気弁のバルブリフトに設定されたフェールセーフリフトにより必ず排気弁の開作動が行われ、排気行程に相当する二度目の圧縮行程で筒内ガスの一部が確実に排気側へ抜き出されるので、続いて吸気行程が開始されて吸気弁が開いても、筒内ガスが勢い良く吸気側へ逆流する現象が起こらなくなる。
【００１２】
尚、本発明で設定されるフェールセーフリフトは、通常モードとブレーキモードとの切り替えが故障等により正常に行われず、排気弁の開作動を担うロッカーアームが排気カム及びブレーキ専用カムの何れにも着座しない状態となっていても必ず排気弁を開作動するよう機能するので、通常モードで故障等により排気弁が全く開かない状態に陥らないようにするための保安対策となる。
【００１３】
また、本発明においては、フェールセーフリフトを設定した二度目の圧縮圧力の開放を行う排気弁の開作動を圧縮上死点より前にピークをずらして排気弁とピストンとの干渉を回避し得るように構成することが好ましく、このようにすれば、フェールセーフリフトを設定することにより排気弁のバルブリフトが長くなっても、該排気弁の開作動のピークが圧縮上死点より前にずれることで排気弁とピストンとの干渉が回避され、相互の損傷を未然に防ぐことが可能となる。
【００１４】
更に、本発明においては、フェールセーフリフトを設定した二度目の圧縮圧力の開放を行う排気弁の開作動が排気行程における通常の開作動の範囲内に包含されるように構成することが好ましく、このようにすれば、通常モードにおける排気行程で排気弁が行う通常の開作動にフェールセーフリフトの開作動が隠れて影響しなくなり、通常モードでは排気行程における排気弁の通常の開作動のみが実行されることになる。
【発明の効果】
【００１５】
上記した本発明の圧縮圧開放型エンジンブレーキによれば、下記の如き種々の優れた効果を奏し得る。
【００１６】
（Ｉ）本発明の請求項１に記載の発明によれば、通常モードとブレーキモードとの切り替えに伴う筒内ガスの吸気側への逆流を確実に防止することができ、該筒内ガスの逆流によりターボチャージャのコンプレッサの軸受等にダメージを与えてしまう虞れを未然に回避することができる。
【００１７】
（ＩＩ）本発明の請求項２に記載の発明によれば、フェールセーフリフトを設定することにより排気弁のバルブリフトが長くなっても、該排気弁の開作動のピークを圧縮上死点より前にずらすことで排気弁とピストンとの干渉を回避することができ、相互の損傷を未然に防ぐことができる。
【００１８】
（ＩＩＩ）本発明の請求項３に記載の発明によれば、通常モードにおける排気行程で排気弁が行う通常の開作動にフェールセーフリフトの開作動が隠れるようにして該フェールセーフリフトの開作動の影響を無くし、通常モードでは排気行程における排気弁の通常の開作動のみが実行されるようにすることができる。
【図面の簡単な説明】
【００１９】
【図１】本発明を実行する形態の通常モードの状態を示す概略図である。
【図２】本形態例のブレーキモードの状態を示す概略図である。
【図３】本形態例の通常モードとブレーキモードとの切り替え時の状態を示す概略図である。
【図４】本形態例の通常モードにおけるバルブリフトのグラフである。
【図５】本形態例のブレーキモードにおけるバルブリフトのグラフである。
【図６】本形態例の通常モードとブレーキモードの切り替え時におけるバルブリフトのグラフである。
【発明を実施するための形態】
【００２０】
以下、本発明の実施の形態を図面を参照しつつ説明する。
【００２１】
図１〜図３は本発明を実施する形態の一例を示すもので、本形態例においては、圧縮上死点付近で排気弁を強制的に開作動させて圧縮圧力を開放することに加え、排気行程における排気弁の通常の開作動を行わせないようにして筒内を封止することで制動力を得るようにした圧縮圧開放型エンジンブレーキとなっており、図１は通常モードの状態、図２はブレーキモードの状態、図３は本形態例の通常モードとブレーキモードとの切り替え時の状態を夫々示している。
【００２２】
図中における符号の１は気筒、２は燃焼室、３はピストン、４は排気弁、５は排気流路を夫々示し、図１に示す通常モードの排気行程において、カムシャフト６の排気カム７によりロッカーアーム８が傾動され、該ロッカーアーム８によりバルブブリッジ９を介し両方の排気弁４が押し下げられて開作動され、燃焼室２から排気流路５へと排気ガス１０が送出されるようになっている。
【００２３】
ただし、前記ロッカーアーム８は、排気カム７により直接的に基端部を突き上げられて傾動するようにはなっておらず、該排気カム７により補助ロッカー１３の一端が突き上げられ、該補助ロッカー１３と連動して前記ロッカーアーム８が一緒に傾動することで排気行程における通常の排気弁４の開作動が実行されるようになっている。
【００２４】
即ち、前記排気弁４を押し下げるロッカーアーム８が軸支されているロッカーシャフト１２には、前記排気弁４を押し下げる先端部を持たない補助ロッカー１３が前記ロッカーアーム８の手前側に隣接して配置されており、前記ロッカーアーム８の上面には、上方へ突出する突出部１４が形成されていると共に、該突出部１４の手前側に前記ロッカーアーム８の基端部側へ向かって伸縮可能に構成された伸縮部１５が備えられており、この伸縮部１５は、前記ロッカーアーム８の内部に備えた図示しない油圧機構により伸縮作動するアクチュエータとして構成されている。
【００２５】
一方、前記補助ロッカー１３の上面には、上方へ突出する突出部１６が形成されており、図１に示す如く、前記ロッカーアーム８の伸縮部１５が伸長した時に、該伸縮部１５が前記補助ロッカー１３の突出部１６に突き当たり、前記ロッカーアーム８が前記補助ロッカー１３に連動して動作するようになっているが、この際、前記ロッカーアーム８全体が前記補助ロッカー１３の突出部１６を起点として反時計回りに傾動させられた状態となり、前記ロッカーアーム８のローラ８ａに対し前記補助ロッカー１３のローラ１３ａが下方へ位置ずれした状態となるようにしてある。
【００２６】
更に、前記ロッカーアーム８の先端部には、下方へ向かって伸縮可能に構成された伸縮部１７が備えられており、この伸縮部１７は、前記ロッカーアーム８の内部に備えた図示しない油圧機構により動作するアクチュエータとして構成され、前記バルブブリッジ９の上面に対し接続されている。
【００２７】
そして、図１に示す如き前記ロッカーアーム８の伸縮部１５を伸長し且つ前記伸縮部１７を収縮した状態とすると、前記ロッカーアーム８が補助ロッカー１３のローラ１３ａを介して排気カム７に着座した状態となり、該排気カム７により排気行程で補助ロッカー１３が傾動され、該補助ロッカー１３に連動して前記ロッカーアーム８も傾動されてバルブブリッジ９を介し両方の排気弁４が押し下げられて開作動されることになる。
【００２８】
他方、前記カムシャフト６には、図２に示すブレーキモードとした時に、吸気行程に続く最初の圧縮行程での圧縮上死点付近と、排気行程に相当する二度目の圧縮行程での圧縮上死点付近とで圧縮圧力を夫々開放するブレーキ専用カム１１が前記排気カム７の奥側に隣接して配置され、該ブレーキ専用カム１１が前記ロッカーアーム８のローラ８ａと同じ位相に配置されるようになっているが、前記ロッカーアーム８の伸縮部１５を伸長し且つ前記伸縮部１７を収縮した状態（図１参照）では、前記ロッカーアーム８のローラ８ａが前記ブレーキ専用カム１１から離間した上方位置に保持されるようになっている。
【００２９】
即ち、図２に示す如き前記ロッカーアーム８の伸縮部１５を収縮し且つ前記伸縮部１７を伸長した状態とすると、前記ロッカーアーム８が前記補助ロッカー１３との連動を解除され、前記ロッカーアーム８全体が時計回りに傾動してローラ８ａがブレーキ専用カム１１に着座した状態となり、該ブレーキ専用カム１１により前記ロッカーアーム８が吸気行程に続く最初の圧縮行程での圧縮上死点付近と、排気行程に相当する二度目の圧縮行程での圧縮上死点付近とで強制的に開作動されて圧縮圧力が開放されるようになっている。
【００３０】
この際、本形態例にあっては、排気行程に相当する二度目の圧縮行程で圧縮圧力を開放するにあたり、その排気弁４のバルブリフトにフェールセーフリフトを設定し、排気行程に相当する二度目の圧縮行程で圧縮圧力を開放させるためのブレーキ専用カム１１のカム山を本来の圧縮圧力に必要なリフト量よりも多く設定している。
【００３１】
即ち、ここで言うフェールセーフリフトとは、図１の通常モードにおいて故障等によりロッカーアーム８が排気カム７及びブレーキ専用カム１１の何れにも着座しない状態となっても、排気弁４が全く開かない状態に陥らないようにするための保安対策として設定されるものであり、万一、通常モードでロッカーアーム８と補助ロッカー１３とが連動しなくなると、排気弁４が全く開かないことになって排気ガス１０が筒内から排気されず、吸気行程で吸気側へ排気ガス１０や未燃燃料を含んだガス等が逆流してしまう事態を招いてしまうが、本形態例においては、このような保安対策として必要なフェールセーフリフトを利用することで通常モードとブレーキモードとの切り替え時にも必ず排気弁４の開作動が生じるようにしている。
【００３２】
つまり、図３に示す通常モードとブレーキモードとの切り替え時に、伸縮部１５が収縮してロッカーアーム８と補助ロッカー１３との連動が解除されていながらも伸縮部１７も収縮してローラ８ａがブレーキ専用カム１１から離間した上方位置に保持されている状態となっていても、該ブレーキ専用カム１１における二度目の圧縮行程で圧縮圧力を開放させるためのカム山の頂部だけは前記ローラ８ａに接触して前記ロッカーアーム８が傾動されるようにしてあり、換言すれば、伸縮部１７のストロークに見合うリフト量よりも多くリフト量を設定してある。
【００３３】
しかも、本形態例においては、二度目の圧縮圧力の開放を行う排気弁４の開作動を当該圧縮行程における圧縮上死点より前にピークをずらして排気弁４とピストン３との干渉を回避し得るようにしておくと共に、この二度目の圧縮圧力の開放を行う排気弁４の開作動が排気行程における通常の開作動の範囲内に包含されるようにしてある。
【００３４】
尚、図１〜図３では、位相違いにより図示されていないが、前記排気カム７が装備されているカムシャフト６には吸気カムも奥側に装備されており、該吸気カムにより基端部を押し上げられて傾動するロッカーアームの先端部によりバルブブリッジを介し両方の吸気弁が押し下げられて開作動され、気筒１内に吸気流路１８から吸入空気１９が取り込まれるようになっていることは勿論である。
【００３５】
而して、以上に説明した圧縮圧開放型エンジンブレーキにあっては、図１に示す通常モードにおいて、ロッカーアーム８の伸縮部１５を伸長し且つ伸縮部１７を収縮した状態とすると、排気カム７により排気行程で補助ロッカー１３が傾動され、これに連動するロッカーアーム８によりバルブブリッジ９を介し両方の排気弁４が押し下げられて開作動され、図４にバルブリフトのグラフを示す如く、排気行程における通常の排気弁４の開作動が実行される。
【００３６】
この際、ブレーキ専用カム１１における二度目の圧縮行程で圧縮圧力を開放させるためのカム山の頂部だけはローラ８ａに接触するが、これによる排気弁４の開作動は、排気行程における通常の開作動の範囲内に包含されているため、通常モードにおける排気行程で排気弁４が行う通常の開作動にフェールセーフリフトの開作動が隠れて影響しなくなり、通常モードでは排気行程における排気弁４の通常の開作動のみが実行される。
【００３７】
また、図２に示すブレーキモードにおいて、ロッカーアーム８の伸縮部１５を収縮し且つ伸縮部１７を伸長した状態とすると、ロッカーアーム８と補助ロッカー１３との連動が解除され、図５にバルブリフトのグラフを示す如く、排気行程における排気弁４の通常の開作動が行われなくなる一方、ブレーキ専用カム１１によりロッカーアーム８が直接的に傾動され、筒内に取り込まれた吸入空気１９を最初に圧縮する一度目の圧縮行程と、排気行程に相当する二度目の圧縮行程とにおける圧縮上死点付近で排気弁４が強制的に開作動され、これにより圧縮圧力が開放されてエンジンブレーキが増強されることになる。
【００３８】
この際、フェールセーフリフトを設定した二度目の圧縮圧力の開放を行う排気弁４の開作動を圧縮上死点（クランク角３６０°）より前にピークをずらしているので、フェールセーフリフトを設定することにより排気弁４のバルブリフトが長くなっても、該排気弁４の開作動のピークが圧縮上死点より前にずれることで排気弁４とピストン３との干渉が回避され、相互の損傷を未然に防ぐことが可能となる。
【００３９】
そして、図３に示す通常モードとブレーキモードとの切り替え時に、伸縮部１５が収縮してロッカーアーム８と補助ロッカー１３との連動が解除されていながらも伸縮部１７も収縮してローラ８ａがブレーキ専用カム１１から離間した上方位置に保持されている状態となると、排気弁４の開作動を担うロッカーアーム８が排気カム７及びブレーキ専用カム１１の何れにも着座しない状態が一時的に生じるが、図６にバルブリフトのグラフを示す如く、排気弁４のバルブリフトに設定されたフェールセーフリフトにより必ず排気弁４の開作動が行われ、排気行程に相当する二度目の圧縮行程で筒内ガスの一部が確実に排気側へ抜き出されるので、続いて吸気行程が開始されて吸気弁が開いても、筒内ガスが勢い良く吸気側へ逆流することが起こらなくなる。
【００４０】
従って、上記形態例によれば、通常モードとブレーキモードとの切り替えに伴う筒内ガスの吸気側への逆流を確実に防止することができ、該筒内ガスの逆流によりターボチャージャのコンプレッサの軸受等にダメージを与えてしまう虞れを未然に回避することができ、また、フェールセーフリフトを設定することにより排気弁４のバルブリフトが長くなっても、該排気弁４の開作動のピークを圧縮上死点（クランク角３６０°）より前にずらすことで排気弁４とピストン３との干渉を回避することができて相互の損傷を未然に防ぐことができ、更には、通常モードにおける排気行程で排気弁４が行う通常の開作動にフェールセーフリフトの開作動が隠れるようにして該フェールセーフリフトの開作動の影響を無くし、通常モードでは排気行程における排気弁４の通常の開作動のみが実行されるようにすることができる。
【００４１】
尚、本発明の圧縮圧開放型エンジンブレーキは、上述の形態例にのみ限定されるものではなく、近年においては、吸気下死点付近でも排気弁を強制的に開作動させて排気流路側から空気を筒内に逆流させ、これにより吸気行程で筒内に取り込まれる作動ガス量（吸入空気量＋逆流空気量）を増加し、次の圧縮行程での圧縮仕事を増加させて制動力を増強することが提案されているので、そのような吸気下死点付近でも排気弁を強制的に開作動させるカム山をブレーキ専用カムに追加しても良いこと、その他、本発明の要旨を逸脱しない範囲内において種々変更を加え得ることは勿論である。
【符号の説明】
【００４２】
１      気筒
３      ピストン
４      排気弁
７      排気カム
８      ロッカーアーム
１１    ブレーキ専用カム
１９    吸入空気
【図１】
2019056321.tif 000003
【図２】
2019056321.tif 000004
【図３】
2019056321.tif 000005
【図４】
2019056321.tif 000006
【図５】
2019056321.tif 000007
【図６】
2019056321.tif 000008